(57)【要約】【課題】  一本の導光棒において単色発光と複数色発光の切り替えが行えるだけでなく、グラデーション状に発光する光色の境界部分を移動させて発光の色の割合を任意に変化させることができ、しかも、グラデーション発光部の移動自体を装飾として利用できる複数色発光式の線状発光器具を提供すること。【解決手段】  グラデーションを含む複数色の発光が行える複数色発光式の線状発光器具において、長さ方向に複数本並べて配置された周面発光型の導光棒１・１…と；これらの各導光棒１・１同士を繋ぐジョイント部材２と；前記各導光棒１の一端側に配置されるＬＥＤ型の第一光源３と；前記各導光棒の他端側に配置される、前記第一光源３とは光色が異なるＬＥＤ型の第二光源４と；これら第一光源３及び第二光源４に接続され、これらの光源の輝度比を自動或いは手動で制御可能な輝度制御装置５とを含んで構成した。【選択図】  図１
2017204414.tif 000002
【特許請求の範囲】
【請求項１】
グラデーションを含む複数色の発光が行える複数色発光式の線状発光器具であって、
長さ方向に複数本並べて配置された周面発光型の導光棒(１)(１)…と；これらの各導光棒(１)(１)同士を繋ぐジョイント部材(２)と；前記各導光棒(１)の一端側に配置されるＬＥＤ型の第一光源(３)と；前記各導光棒の他端側に配置される、前記第一光源(３)とは光色が異なるＬＥＤ型の第二光源(４)と；これら第一光源(３)及び第二光源(４)に接続され、これらの光源の輝度比を自動或いは手動で制御可能な輝度制御装置(５)とを含んで構成されていることを特徴とする複数色発光式の線状発光器具。
【請求項２】
輝度制御装置(５)の記憶装置(51)に、導光棒(１)の両側に配置された第一光源(３)と第二光源(４)の輝度比を自動で連続的或いは段階的に変化させる発光パターンプログラムが格納されていることを特徴とする請求項１記載の複数色発光式の線状発光器具。
【請求項３】
輝度制御装置(５)の記憶装置(51)に、隣接配置された導光棒(１)(１’)の内、一方の導光棒(１)の両側に配置された第一光源(３)と第二光源(４)の輝度比を０：１から１：１を経て１：０に変化させた後、もう一方の導光棒(１’)の両側に配置された第一光源(３)と第二光源(４)の輝度比を、同様に０：１から１：１を経て１：０に変化させる発光パターンプログラムが格納されていることを特徴とする請求項２記載の複数色発光式の線状発光器具。
【請求項４】
輝度制御装置(５)が、発光パターンプログラムが格納された記憶装置(51)と；発光パターンプログラムから出力された発光パターン信号を、各光源に対する電圧印加の有無および印加電圧の大きさを決める制御信号に変換する信号変換部(52)と；この信号変換部(52)から出力された制御信号に基づき、接続された各光源に所定大きさの電圧を印加するＬＥＤドライバ(53)(53)…とを少なくとも備えていることを特徴とする請求項１〜３の何れか一つに記載の複数色発光式の線状発光器具。
【請求項５】
ジョイント部材(２)の両側に導光棒(１)の差込み穴が設けられると共に、これらの差込み穴の内側に第一光源(３)と第二光源(４)がそれぞれ固定されて、ジョイント部材(２)と光源が一体的に構成されていることを特徴とする請求項１〜４の何れか一つに記載の複数色発光式の線状発光器具。
【発明の詳細な説明】
【技術分野】
【０００１】
本発明は、線状発光器具の改良、詳しくは、単色発光と複数色発光の切り替えが行えるだけでなく、グラデーション状に発光する光色の境界部を移動させて発光の色の割合を任意に変化させることも可能な複数色発光式の線状発光器具に関するものである。
【背景技術】
【０００２】
近年、光装飾等の分野では、周面発光型の導光棒(具体的には、所定の屈折率差を有するコア層とクラッド層を備えた棒体)を用いた線状発光器具の利用が進んでいる。またこれらの線状発光器具を大型化する場合には、光源からの導光距離に限界があるため、複数の導光棒をジョイント部材で繋いで構成するのが一般的である。
【０００３】
一方、従来においては、上記周面発光型の導光棒と光源から成る線状発光器具に関して、単色発光式のものだけでなく、導光棒の一端側に光色が異なる複数のＬＥＤ光源を配置し、更にこれらのＬＥＤ光源を制御して発光色を任意に選択できるようにした複数色発光式の器具も開発されている(例えば、特許文献１参照)。
【０００４】
しかしながら、上記従来の器具に関しては、光色の選択や切替えが行えるものの光源が導光棒を片側にしか配置されていなかったため、一本の導光棒を複数色で同時発光させることができなかった。またこの種の線状発光器具では、複数色が混ざり合ったグラデーション状の発光部を形成することもできなかった。
【０００５】
他方、従来においては、複数色発光が行えるＬＥＤ光源を導光棒の両側に配置して構成された線状発光器具も公知となっており(特許文献２参照)、このタイプの線状発光器具では、導光棒の両側に配置されたＬＥＤ光源を異なる色で発光させることによって、一本の導光棒を同時に複数色で発光させることが可能となる。
【０００６】
しかしながら、上記従来の線状発光器具に関しては、導光棒の両側に配置されたＬＥＤ光源の輝度比を任意の比率となるように制御することができなかったため、光色の境界位置を任意に変更して色の割合を変えたり、また光色の境界位置を自動的に(または手動で)移動させて装飾に利用したりすることができなかった。
【先行技術文献】
【特許文献】
【０００７】
【特許文献１】特開２００５−９３２５６号公報
【特許文献２】特開２００４−１８４９７４号公報
【発明の概要】
【発明が解決しようとする課題】
【０００８】
本発明は、上記の如き問題に鑑みて為されたものであり、その目的とするところは、一本の導光棒において単色発光と複数色発光の切り替えが行えるだけでなく、グラデーション状に発光する光色の境界部分を移動させて発光の色の割合を任意に変化させることができ、しかも、グラデーション発光部の移動自体を装飾として利用できる複数色発光式の線状発光器具を提供することにある。
【課題を解決するための手段】
【０００９】
本発明者が上記課題を解決するために採用した手段を添付図面を参照して説明すれば次のとおりである。
【００１０】
即ち、本発明は、グラデーションを含む複数色の発光が行える複数色発光式の線状発光器具において、長さ方向に複数本並べて配置された周面発光型の導光棒１・１…と；これらの各導光棒１・１同士を繋ぐジョイント部材２と；前記各導光棒１の一端側に配置されるＬＥＤ型の第一光源３と；前記各導光棒の他端側に配置される、前記第一光源３とは光色が異なるＬＥＤ型の第二光源４と；これら第一光源３及び第二光源４に接続され、これらの光源の輝度比を自動或いは手動で制御可能な輝度制御装置５とを含んで構成した点に特徴がある。
【００１１】
また、上記輝度制御装置５の記憶装置51に、導光棒１の両側に配置された第一光源３と第二光源４の輝度比を自動で連続的或いは段階的に変化させる発光パターンプログラムを格納すれば、導光棒１のグラデーション発光部Ｂを移動させながら左右の色割合を変化させることができる。
【００１２】
また更に、上記輝度制御装置５の記憶装置51に、隣り合う導光棒１・１’の内、一方の導光棒１の両側に配置された第一光源３と第二光源４の輝度比を０：１から１：１を経て１：０に変化させた後、もう一方の導光棒１’の両側に配置された第一光源３と第二光源４の輝度比を、同様に０：１から１：１を経て１：０に変化させる発光パターンプログラムを格納すれば、複数の導光棒１に跨がってグラデーション発光部Ｂの位置を一方の端部から他方の端部へと移動させることができる。
【００１３】
また、上記輝度制御装置５については、発光パターンプログラムが格納された記憶装置51と；発光パターンプログラムから出力された発光パターン信号を、各光源に対する電圧印加の有無および印加電圧の大きさを決める制御信号に変換する信号変換部52と；この信号変換部52から出力された制御信号に基づき、接続された各光源に所定大きさの電圧を印加するＬＥＤドライバ53・53…とを備えた構成とするのが好ましい。
【００１４】
他方また、上記ジョイント部材２と光源については、ジョイント部材２の両側に導光棒１の差込み穴を設けると共に、これらの差込み穴の内側に第一光源３と第二光源４をそれぞれ固定して一体的に構成することができる。
【発明の効果】
【００１５】
本発明では、周面発光型の導光棒の両側に発光色の異なるＬＥＤ光源を配置して構成すると共に、導光棒の両側に配置された各ＬＥＤ光源にこれらの輝度比を制御する輝度制御装置を接続して構成したことにより、一本の導光棒において複数色の発光を任意の色の割合(例えば、１：１や２：１等)で行うことが可能となる。
【００１６】
しかも、本発明では、上記複数色の同時発光を行った際に、光色の境界部分に異色の光が混ざり合ったグラデーション状の発光部を形成できるだけでなく、上記輝度制御装置を用いてこのグラデーション位置を自動で(または手動で)移動させて色の割合を変化させることができるため、演出効果に優れた光装飾器具として利用できる。
【００１７】
また更に、本発明では、上記輝度制御装置を用いて導光棒両側のＬＥＤ光源の輝度比を１：０または０：１とすることで、一本の導光棒を一方の光源の光色で単色発光させることもできるため、単色発光と複数色発光の切り替えも行うことができ、上記色の割合の変化と併せて装飾に利用できる。
【００１８】
したがって、本発明により、器具構造を複雑化することなく発光パターンを多様化して光装飾器具を始めとした様々な用途に利用できる複数色発光式の線状発光器具を提供できることから、本発明の実用的利用価値は頗る高い。
【図面の簡単な説明】
【００１９】
【図１】本発明の実施例１における光色割合可変式の線状発光器具を表わす概略図である。
【図２】本発明の実施例１における線状発光器具の使用状態を表わす説明図である。
【図３】本発明の実施例１における導光棒の断面形状と導線の挿入状態を表わす説明図である。
【図４】本発明の実施例１におけるジョイント部材を表わす分解斜視図である。
【図５】本発明の実施例１における光源が一体化されたジョイント部材に導光棒を装着した状態を表わす説明図である。
【発明を実施するための形態】
【００２０】
『実施例１』
本発明の実施例１について、図１〜図５に基いて以下に説明する。なお同図において、符号１で指示するものは、導光棒であり、符号２で指示するものは、ジョイント部材である。また符号３で指示するものは、第一光源であり、符号４で指示するものは、第二光源である。また符号５で指示するものは、輝度制御装置である。
【００２１】
「線状発光器具の構成」
[１]基本構成について
まず本実施例においては、図１に示すように、長さ方向に複数本並べて配置した周面発光型の導光棒１・１…をジョイント部材２で繋ぎ、更に各導光棒１の一端側にＬＥＤ型の第一光源３を、また他端側には第一光源３とは光色が異なるＬＥＤ型の第二光源４をそれぞれ配置している。そして、第一光源３及び第二光源４に、これらの光源の輝度比を自動或いは手動で制御可能な輝度制御装置５を接続して線状発光器具を構成している。
【００２２】
[２]グラデーション位置可変機能について
これにより、図２(a)に示すように、任意の輝度比で第一光源３と第二光源４を発光させるだけで、導光棒１における第一光源３と第二光源４の光色の境界部分をグラデーション状に発光させることができる。また更に、輝度制御装置５によって第一光源３と第二光源４の輝度比を変えれば、図２(b)に示すように、導光棒１におけるグラデーション発光部Ｂの位置を任意の箇所に移動させることができる。
【００２３】
[３]導光棒について
次に上記線状発光体の各構成要素について説明する。まず上記導光棒１に関しては、合成樹脂材料から成る所定屈折率のコア層およびクラッド層を備えたものを使用している。なお導光棒１のコア層にはアクリル系樹脂、クラッド層にはフッ素系樹脂を好適に使用できるが、他の樹脂材料を使用することもできる。また導光棒１には、露出面の発光性能を高めるためにクラッド層の外側に光反射層を部分的に形成することもできる。
【００２４】
また上記導光棒１の形状に関しても、本実施例では断面円形の形状を採用しているが、三角形型や四角形型、扇型、楕円型、これらが組み合わさった異形型などの断面形状を採用することができる。また導光棒１の長さや太さに関しても、光源の種類や用途に応じて適宜変更することができる。
【００２５】
また上記導光棒１の形状に関しては、図３(a)に示すように所定大きさの溝部11・11を可視面以外の部分に形成することもでき、その場合には、図３(b)に示すように、電源と光源を電気的に接続する導線Ｃ・Ｃを溝部11・11に挿入して導光棒１に添わせることができる。なお本実施例では、正極に繋がる導線Ｃと負極に繋がる導線Ｃを個別に挿入できるように溝部11・11を二つ形成しているが、大きめの溝部11を一つ形成してそこに複数の導線Ｃ・Ｃをまとめて挿入することもできる。
【００２６】
[４]ジョイント部材について
また上記ジョイント部材に関しては、本実施例では両側に差込み穴を備えた金属製のものを使用しているが、導光棒１・１同士を連結できる構造であれば、他の形状を採用することもできる。またジョイント部材２の材質に関しても、耐熱性や熱伝導性(放熱性能)を考慮して金属材料や無機材料を使用するのが好ましいが、条件を満たせば樹脂材料を採用することもできる。
【００２７】
[５]第一光源及び第二光源について
また上記第一光源３と第二光源４に関しては、コンパクト化が可能なチップ型のＬＥＤ光源を使用することが好ましいが、砲弾型の光源を使用することもできる。また導光棒１の端部に配置する第一光源３及び第二光源４の数に関しても、導光棒１の断面積が大きい場合には、２つ以上配置することもできる。また第一光源３と第二光源４の光色については、異なる色相の色(例えば、赤と青等)は勿論、同じ色相で明度や彩度の異なる色(例えば、濃い緑と白色に近い緑等)の組み合わせを採用することもできる。
【００２８】
[６]ジョイント部材と光源の一体化について
また本実施例では、上記ジョイント部材２の差込み穴の内側に、チップ型の第一光源３と第二光源４を固定して一体的に構成している。これにより導光棒１・１’の連結部分をコンパクト化することができるだけでなく、ジョイント部材２に導光棒１を差し込むだけで光源の配置も完了するため、組立て作業を効率化することができる。
【００２９】
なお上記ジョイント部材２についてもう少し具体的に説明すると、本実施例では図４に示すように、ヒートシンクの放熱フィンを両側から孔開け加工して作製された金属製のハウジング21と、このハウジング21に両側から被せて装着されるエラストマー製の半透明カバー22・22とからジョイント部材２を構成している。
【００３０】
そして、図５(a)に示すように、ハウジング21の中央部に形成された対向する一対の板面部にそれぞれチップ型の第一光源３と第二光源４をそれぞれ固定すると共に、これらの光源にハウジング21内に引き込んだ導線Ｃを接続することによって、ジョイント部材２と光源を一体化している。そして更に図５(b)に示すように、各半透明カバー22・22に形成された差込み孔Ｈ・Ｈに導光棒１・１をそれぞれ挿入して、複数の導光棒１・１をジョイント部材２を介して長さ方向に繋げている。
【００３１】
なお上記ハウジング21の材質に関しては、耐熱性及び熱伝導性(放熱性)に優れた材料であれば、金属以外のセラミック材料等を使用することもできる。またハウジング21の形状に関しても、本実施例では放熱機能を向上させるために放熱フィンを備えた形状としているが、放熱フィンを持たない形状を採用することもできる。また上記半透明カバー22の材質に関しても、光拡散性を有する材料であれば半透明のプラスチック材料等を使用することもできる。
【００３２】
[７]輝度制御装置について
また上記輝度制御装置５については、本実施例では、図１に示すように、発光パターンプログラムが格納された記憶装置51と、発光パターンプログラムから出力された発光パターン信号を、各光源に対する電圧印加の有無および印加電圧の大きさを決める制御信号に変換する信号変換部52と、この信号変換部52から出力された制御信号に基づき、接続された各光源に所定大きさの電圧を印加するＬＥＤドライバ53・53…とを備えた構成としている。
【００３３】
[８]自動制御について
そして、上記輝度制御装置５の記憶装置51に、導光棒１の両側に配置された第一光源３と第二光源４の輝度比を自動で連続的に変化させる発光パターンプログラムを格納することにより、図２(a)(b)に示すように、導光棒１のグラデーション発光部Ｂの位置を移動させながら左右の色の割合を変化させることができる。なお発光パターンプログラムによる輝度比の変化は、一定の単位ごとに段階的に行われるようにすることもできる。
【００３４】
また更に、上記輝度制御装置５の記憶装置51に、隣り合う導光棒１・１’の内、一方の導光棒１の両側に配置された第一光源３と第二光源４の輝度比を０：１から１：１を経て１：０に変化させた後、もう一方の導光棒１’の両側に配置された第一光源３と第二光源４の輝度比を、同様に０：１から１：１を経て１：０に変化させる発光パターンプログラムを格納すれば、図２(b)(c)に示すように、複数の導光棒１・１’に跨がってグラデーション発光部Ｂの位置を一方の端部から他方の端部へと移動させることができる。
【００３５】
[９]手動制御について
また本実施例では、上記輝度制御装置５に手動操作部54を設け、この手動操作部54から出力されるパラメータ値を変化させることで、第一光源３と第二光源４の輝度比が変化するようにしている。具体的には、手動操作部54から出力されたパラメータ値を、信号変換部52で各光源に対する電圧印加の有無および印加電圧の大きさを決める制御信号に変換して、この制御信号がＬＥＤドライバ53・53…に出力されるようにしている。
【００３６】
本発明は、概ね上記のように構成されるが、本発明は図示の実施形態に限定されるものでは決してなく、「特許請求の範囲」の記載内において種々の変更が可能であって、例えば、第一光源３と第二光源４の輝度比を変化させる方法に関しては、両方の光源に対する印加電圧の大きさを変える方法だけでなく、一方の光源に対する印加電圧の大きさのみを変える方法を採用することもできる。
【００３７】
また上記第一光源３と第二光源４の輝度に関しては、相対的な輝度比を変えずに各光源の輝度の絶対値を変化させることによって、グラデーション発光部Ｂの幅や見え方を変化させることもでき、何れのものも本発明の技術的範囲に属する。
【産業上の利用可能性】
【００３８】
本発明の線状発光器具の用途としては、豪華客船やイベント、オブジェのデコレーション等に用いられる大規模な光装飾の他、インテリアや車内装飾等の小規模な光装飾、また警告装置や案内装置等の表示手段として利用することができる。
【符号の説明】
【００３９】
１  導光棒
11  溝部
２  ジョイント部材
21  ハウジング
22  半透明カバー
３  第一光源
４  第二光源
５  輝度制御装置
51  記憶装置
52  信号変換部
53  ＬＥＤドライバ
54  手動操作部
Ｂ  グラデーション発光部
Ｃ  導線
Ｈ  差込み孔
【図１】
2017204414.tif 000003
【図２】
2017204414.tif 000004
【図３】
2017204414.tif 000005
【図４】
2017204414.tif 000006
【図５】
2017204414.tif 000007